(57)【要約】  直交周波数分割多重（OFDM）通信のリンクアダプテーションで使用されるチャネル品質インジケータ（CQI）を決定する方法及び装置である。本発明の一実施例では、CQIは、受信OFDM信号のサブキャリア成分の一式の容量値に基づく。他の実施例では、一式の容量値の移動平均からの最小値がCQIを決定するために使用される。
2010505331.tif 000002
【特許請求の範囲】
【請求項１】
直交周波数分割多重（OFDM）通信チャネルのサブキャリアの容量値の順序集合を決定し、
サンプリングサイズを選択して前記容量値の順序集合の移動平均を決定し、
前記選択されたサンプリングサイズに基づいて、前記容量値の順序集合の移動平均を表す平均容量値の順序集合を決定し、
前記平均容量値の順序集合に実質的に基づいて、前記OFDM通信チャネルのチャネル品質インジケータ（CQI）を特定することを有する方法。
【請求項２】
前記OFDM通信チャネルは、IEEE（Institute  of  Electrical  and  Electronics  Engineers）802.16標準に準拠する、請求項１に記載の方法。
【請求項３】
容量値の順序集合を決定することは、
前記OFDM通信チャネルのサブキャリアを介してサブキャリア信号を受信し、前記サブキャリア信号は、送信信号と信号干渉と信号雑音とを含み、
前記サブキャリア信号の信号対干渉及び雑音比（SINR）に実質的に基づいて、前記サブキャリアの容量値を計算し、前記SINRは、前記送信信号の強度と、前記信号干渉及び信号雑音の合成した強度との比を含むことを有する、請求項１に記載の方法。
【請求項４】
前記容量値の順序集合を決定することは、周波数領域での前記サブキャリアのオーダーに基づいて前記容量値を並び替えることを更に有する、請求項３に記載の方法。
【請求項５】
前記容量値の順序集合を決定することは、前記サブキャリア信号の変調オーダーに基づいて、容量値を前記容量値の順序集合に追加し、前記容量値の順序集合をデインターリーブすることを更に有する、請求項４に記載の方法。
【請求項６】
前記CQIを特定することは、前記平均容量値の順序集合から最小値を選択することを有する、請求項１に記載の方法。
【請求項７】
前記CQIに基づいて信号送信のリンクアダプテーションのパラメータを選択することを更に有する、請求項１に記載の方法。
【請求項８】
前記リンクアダプテーションのパラメータは、変調符号化方式（MCS）である、請求項７に記載の方法。
【請求項９】
OFDM通信チャネルのサブキャリアの容量値を決定する信号プロセッサと、
前記サブキャリアの容量値に基づいて容量値の順序集合を決定し、サンプリングサイズを選択して前記容量値の順序集合の移動平均を決定する計算エージェントであり、更に、前記選択されたサンプリングサイズに基づいて、前記容量値の順序集合の移動平均を表す平均容量値の順序集合を決定し、更に、前記平均容量値の順序集合に実質的に基づいて、前記OFDM通信チャネルのCQIを特定する計算エージェントと
を有する装置。
【請求項１０】
前記OFDM通信チャネルは、IEEE802.16標準に準拠する、請求項９に記載の装置。
【請求項１１】
OFDM通信チャネルのサブキャリアの容量値を決定することは、
前記OFDM通信チャネルのサブキャリアを介してサブキャリア信号を受信し、前記サブキャリア信号は、送信信号と信号干渉と信号雑音とを含み、
前記サブキャリア信号のSINRに実質的に基づいて、前記サブキャリアの容量値を計算し、前記SINRは、前記送信信号の強度と、前記信号干渉及び信号雑音の合成した強度との比を含むことを有する、請求項９に記載の装置。
【請求項１２】
前記容量値の順序集合を決定することは、周波数領域での前記サブキャリアのオーダーに基づいて前記容量値を並び替えることを有する、請求項１１に記載の装置。
【請求項１３】
前記容量値の順序集合を決定することは、前記サブキャリア信号の変調オーダーに基づいて、容量値を前記容量値の順序集合に追加し、前記容量値の順序集合をデインターリーブすることを更に有する、請求項１２に記載の装置。
【請求項１４】
前記CQIを特定することは、前記平均容量値の順序集合から最小値を選択することを有する、請求項９に記載の装置。
【請求項１５】
前記CQIに基づいて信号送信のリンクアダプテーションのパラメータを選択することを更に有する、請求項９に記載の装置。
【請求項１６】
OFDM通信チャネルの１つ以上のサブキャリアで信号を受信する実質的に無指向性のアンテナと、
前記OFDM通信チャネルの前記１つ以上のサブキャリアの容量値を決定する信号プロセッサと、
前記サブキャリアの容量値に基づいて容量値の順序集合を決定し、サンプリングサイズを選択して前記容量値の順序集合の移動平均を決定する計算エージェントであり、更に、前記選択されたサンプリングサイズに基づいて、前記容量値の順序集合の移動平均を表す平均容量値の順序集合を決定し、更に、前記平均容量値の順序集合に実質的に基づいて、前記OFDM通信チャネルのCQIを特定する計算エージェントと
を有するシステム。
【請求項１７】
前記OFDM通信チャネルは、IEEE802.16標準に準拠する、請求項１６に記載のシステム。
【請求項１８】
OFDM通信チャネルのサブキャリアの容量値を決定することは、
前記OFDM通信チャネルのサブキャリアを介してサブキャリア信号を受信し、前記サブキャリア信号は、送信信号と信号干渉と信号雑音とを含み、
前記サブキャリア信号のSINRに実質的に基づいて、前記サブキャリアの容量値を計算し、前記SINRは、前記送信信号の強度と、前記信号干渉及び信号雑音の合成した強度との比を含むことを有する、請求項１６に記載のシステム。
【請求項１９】
前記容量値の順序集合を決定することは、周波数領域での前記サブキャリアのオーダーに基づいて前記容量値を並び替えることを有する、請求項１８に記載のシステム。
【請求項２０】
前記容量値の順序集合を決定することは、前記サブキャリア信号の変調オーダーに基づいて、容量値を前記容量値の順序集合に追加し、前記容量値の順序集合をデインターリーブすることを更に有する、請求項１９に記載のシステム。
【請求項２１】
前記CQIを特定することは、前記平均容量値の順序集合から最小値を選択することを有する、請求項１６に記載のシステム。
【請求項２２】
前記CQIに基づいて信号送信のMCSを選択することを更に有する、請求項１６に記載のシステム。
【請求項２３】
一式の１つ以上のプロセッサにより実行されたときに、前記一式のプロセッサに対して、
OFDM通信チャネルのサブキャリアの容量値の順序集合を決定し、
サンプリングサイズを選択して前記容量値の順序集合の移動平均を決定し、
前記選択されたサンプリングサイズに基づいて、前記容量値の順序集合の移動平均を表す平均容量値の順序集合を決定し、
前記平均容量値の順序集合に実質的に基づいて、前記OFDM通信チャネルのCQIを特定することを有する方法を実行させる命令を提供する機械可読媒体。
【請求項２４】
前記OFDM通信チャネルは、IEEE802.16標準に準拠する、請求項２３に記載の機械可読媒体。
【請求項２５】
容量値の順序集合を決定することは、
前記OFDM通信チャネルのサブキャリアを介してサブキャリア信号を受信し、前記サブキャリア信号は、送信信号と信号干渉と信号雑音とを含み、
前記サブキャリア信号のSINRに実質的に基づいて、前記サブキャリアの容量値を計算し、前記SINRは、前記送信信号の強度と、前記信号干渉及び信号雑音の合成した強度との比を含むことを有する、請求項２３に記載の機械可読媒体。
【請求項２６】
前記容量値の順序集合を決定することは、周波数領域での前記サブキャリアのオーダーに基づいて前記容量値を並び替えることを更に有する、請求項２５に記載の機械可読媒体。
【請求項２７】
前記容量値の順序集合を決定することは、前記サブキャリア信号の変調オーダーに基づいて、容量値を前記容量値の順序集合に追加し、前記容量値の順序集合をデインターリーブすることを更に有する、請求項２６に記載の機械可読媒体。
【請求項２８】
前記CQIを特定することは、前記平均容量値の順序集合から最小値を選択することを有する、請求項２３に記載の機械可読媒体。
【請求項２９】
前記CQIに基づいて信号送信のMCSを選択することを更に有する、請求項２３に記載の機械可読媒体。
【発明の詳細な説明】
【技術分野】
【０００１】
本発明は、概して無線通信技術に関する。特に、本発明の実施例は、OFDM（Orthogonal  Frequency  Division  Multiplexing）を使用して送信する信号特性を決定する。
【背景技術】
【０００２】
現在の無線通信システムは、しばしばOFDM及びOFDMA（Orthogonal  Frequency  Division  Multiple  Access）技術（ここでは併せてOFDM(A)と呼ばれる）の利点に依存する。特に、無線技術は、IEEE802.16eのIEEE  Standard  for  Local  and  Metropolitan  Area  Networks-Part  16:  Air  Interface  for  Fixed  Broadband  Wireless  Access  Systems-Physical  and  Medium  Access  Control  Layers  for  Combined  Fixed  and  Mobile  Operation  in  Licensed  Bands,  2004を含み、WMAN（Wireless  Metropolitan  Area  Network）のIEEE802.16標準のようなIEEE（Institute  of  Electrical  and  Electronics  Engineers）標準を一般的に実装する。
【発明の概要】
【発明が解決しようとする課題】
【０００３】
OFDM(A)通信の１つの利点は、リンクアダプテーション（LA：link  adaptation）を使用する機能である。リンクアダプテーションでは、変調、符号化及び他の信号又はプロトコルパラメータは、信号送信環境に従って調整され得る。高速リンクアダプテーション方法は、雑音の限られた環境及び干渉の限られた環境において、OFDM(A)システムのスループット及びデータパケット誤り率（PER：packet  error  rate）性能をかなり改善する。複数の高速リンクアダプテーション方法がOFDM(A)システムについて知られており、これらのほとんどが、チャネル品質インジケータ（CQI：channel  quality  indicator）の何らかの計算に基づく。OFDM(A)システムでの高速及び高信頼性のリンクアダプテーションは、チャネル環境の範囲を通じて正確のままになるチャネル品質の測定に依存する。
【図面の簡単な説明】
【０００４】
【図１】送信するOFDM(A)信号を用意する方式を示すブロック図
【図２】OFDM(A)信号のサブキャリアを示す周波数図
【図３】受信OFDM(A)信号に基づいてチャネル品質インジケータを決定するシステムを示すブロック図
【図４Ａ】本発明の一実施例に従って計算されたOFDM(A)サブキャリアのチャネル容量の列を示すグラフ
【図４Ｂ】本発明の一実施例に従って計算されたOFDM(A)サブキャリアの“ビット”容量の列を示すグラフ
【図４Ｃ】本発明の一実施例に従って計算されたOFDM(A)サブキャリアの“ビット”容量のデインターリーブされた列を示すグラフ
【図４Ｄ】OFDM(A)サブキャリアの“ビット”容量のデインターリーブされた列の移動平均の計算を示すグラフ
【図４Ｅ】本発明の実施例によるチャネル品質インジケータ（CQI）の決定を示すグラフ
【発明を実施するための形態】
【０００５】
本発明の様々な実施例が、限定ではなく一例として添付図面に示される。
【０００６】
無線通信における信号特性を評価する技術及びアーキテクチャがここに記載される。以下の説明では、説明の目的で、本発明の完全な理解を提供するために、複数の特定の詳細が示されている。しかし、本発明は、これらの特定の詳細なしに実施され得ることが、当業者に明らかである。他の場合には、説明を曖昧にしないように、構成及び装置がブロック図形式で示されている。
【０００７】
明細書における“一実施例”又は“実施例”への言及は、実施例に関して記載される特定の機能、構成又は特徴が、本発明の少なくとも１つの実施例に含まれることを意味する。明細書の様々な箇所で“一実施例では”という用語が出てくることは、必ずしも同じ実施例を示すとは限らない。
【０００８】
以下の詳細な説明のいくつかの部分は、コンピュータメモリ内のデータビットでの動作のアルゴリズム及びシンボル表現に関して示される。これらのアルゴリズムの説明及び表現は、最も効果的に研究の内容を他の当業者に伝えるために通信技術の当業者により使用される手段である。ここでは一般的に、アルゴリズムは、所望の結果をもたらすステップの首尾一貫した系列であると考えられる。ステップは、物理量の物理的操作を必要とするものである。必ずしも必要ではないが、通常では、これらの量は、格納、伝達、結合、比較及び他に操作されることができる電気又は磁気信号の形式になる。主に通常に使用する理由で、これらの信号をビット、値、要素、シンボル、文字、項、数等として示すことが、時に便利であることがわかる。
【０００９】
しかし、これらの用語及び類似の用語の全てが適切な物理量に関連するものであり、これらの量に適用された単に便利なラベルであるであることに留意すべきである。特に記載されない限り、以下の説明から明らかなように、明細書を通じて、“処理”、“計算”、“算出”、“決定”又は“表示”等のような用語を利用した説明は、コンピュータシステムのレジスタ及びメモリ内の物理（電子）量として表されたデータを、コンピュータシステムのメモリ、レジスタ若しくは他のこのような情報記憶装置、伝送装置又は表示装置内の物理量として同様に表された他のデータに操作及び／又は変換するコンピュータシステム又は同様の電子計算装置の動作及び／又は処理を示すことがわかる。
【００１０】
本発明はまた、ここでの動作を実行する装置にも関する。この装置は、必要な処理のために特に構成されてもよく、コンピュータに格納されたコンピュータプログラムにより選択的に動作又は再構成される汎用目的コンピュータを有してもよい。このようなコンピュータプログラムは、コンピュータシステムバスにそれぞれ結合されたコンピュータ可読記憶媒体（限定されないが、何らかの形式のディスク（フロッピー（登録商標）ディスク、光ディスク、CD-ROM及び光磁気ディスクを含む）、読み取り専用メモリ（ROM）、ランダムアクセスメモリ（RAM）、EPROM、EEPROM、磁気若しくは光カード、又は電子命令を格納するのに適した他の形式の媒体等）に格納されてもよい。
【００１１】
ここに提示されるアルゴリズム及び表示は、特定のコンピュータ又は他の装置に本質的に関係しない。様々な汎用目的システムが、ここでの技術によるプログラムで使用されてもよく、所要の方法のステップを実行するために、より専用の装置を構成することが便利であることがわり得る。様々なこれらのシステムの必要な構成は、以下の説明からわかる。更に、本発明は、特定のプログラミング言語を参照して説明されない。ここに記載する本発明の教示を実施するために、様々なプログラミング言語が使用されてもよいことがわかる。
【００１２】
実施例は、OFDM(A)通信システムの様々なリンクアダプテーション方法で使用されるCQIを決定する。本発明の実施例は、WMAN  IEEE802.16システムに適しており、WMAN  IEEE802.16システムは、ここでは説明のために使用される。ここに記載の方法に従って決定されたCQIに基づいて、LA方式を実装するOFDM(A)トランシーバは、チャネル品質についての他の情報を導き、データ送信の変調符号化方式（MCS：modulation  coding  scheme）を適応的に選択することができる。
【００１３】
図１は、OFDM(A)信号を送信するために使用される下りリンク送信機100を示すブロック図である。データ101は、ランダム化器（randomizer）102で下りリンク送信機100により受信されてもよい。ランダム化された信号は、前方誤り訂正（FEC：forward  error  correction）エンコーダ103に送信され、続いてインターリーバ104に送信されてもよい。このインターリーブされた信号は、シンボルマッピング器105に渡され、FECデータのビット対シンボルのマッピングを実行してもよい。マッピングされたシンボルは、プリアンブル及びパイロットシンボル（図示せず）と共に、送信前に信号の線形変換及びOFDM処理を行うために、前変換装置106及びOFDMA処理器（OFDMA  formulator）107に渡されてもよい。最終的な出力信号は、送信アンテナ108を通じて送信されてもよい。送信アンテナ108の出力OFDM(A)信号は、一実施例に従ってCQIを決定するために受信及び評価されるようなものである。図１は、この形式のOFDM(A)信号を用意する１つの方式を示している。本発明は、送信するこの形式のOFDM(A)信号を用意するために使用される方式に関して限定されない。
【００１４】
図２は、一実施例を実装するシステム又は装置により受信及び分析される形式のOFDM(A)信号を周波数領域201で示している。様々な実施例では、受信信号は、IEEE802.16e標準に従ってフォーマットされてもよい。信号は、ガードバンド202、206により区切られたOFDM(A)チャネル200で受信される。周波数領域では、所与のOFDMシンボルのサブキャリアは、サブチャネルのグループ203、204、205に分割される。所与のサブチャネルに属するサブキャリアは、相互に隣接してもよく隣接しなくてもよい。ローカライズ型サブチャネル（localized  subchannel）は、周波数領域で連続するサブキャリアを有するものである。非連続のサブキャリアを有する分散型サブチャネル（distributed  subchannel）は、周波数ダイバーシチを提供して送信を保護し得る。様々なサブチャネル構成が使用されてもよい。
【００１５】
典型的な実装では、OFDM(A)信号は、受信機側で受信機に固有の雑音と混合される。OFDM(A)信号は、受信機側で、隣接BS又は他のOFDM(A)送信機からの直接干渉及びマルチパス干渉と混合されてもよい。これらの状況で、リンクアダプテーションのMCSの選択の成功は、チャネルの信号誤り率（スロット誤り率（SLER：slot  error  rate）及びパケット誤り率（PER：packet  error  rate）等）の正確な予測に部分的に依存する。典型的には、リンクアダプテーション技術は、誤り率の目標限界内に留まりつつ最大のスループットを生じる通信モードと所与の誤り率とを関連付ける測定又はシステムモデル化データに基づいて、MCS又は他の無線通信パラメータを選択する。誤り率の情報の有用性は、一連のチャネル環境を通じて正確に留まるチャネル品質の測定に依存する。様々な実施例は、平均サブキャリア容量の最小値をチャネル品質インジケータとして使用することにより、OFDM(A)受信機のSLER/PER予測の改善した精度を提供する。平均サブキャリア容量の最小値は、移動ウィンドウ内で計算される。この“最小平均”容量値Cmm_wndwは、畳み込み符号（IEEE802.16標準での必須の符号化方式）を利用したシステムで特に正確なSLER/PER予測を提供する。Cmm_wndwは、ここで説明する方法に従って計算される。
【００１６】
図３は、一実施例を実装するシステム又は装置300を示している。様々な実施例では、システム又は装置は、ソフトウェア、ソフトウェアモジュール、アプリケーション、プログラム、サブルーチン、命令セット、コンピュータコード、ワード、値、シンボル、又はこれらの組み合わせとして実装されてもよい。システム又は装置は、特定の機能を実行するようにプロセッサに命令する所定のコンピュータ言語、方法又はシンタックスに従って実装されてもよい。コンピュータ言語の例は、C、C++、Java（登録商標）、BASIC、Perl、Matlab、Pascal、Visual  BASIC、アセンブリ言語、機械コード、ネットワークプロセッサ用マイクロコード等を含んでもよい。代替実施例では、本発明を実施するために、ソフトウェア命令の代わりに又はこれと組み合わせて、配線回路が使用されてもよい。従って、本発明は、ハードウェア回路及びソフトウェア命令の何らかの特定の組み合わせに限定されない。
【００１７】
様々な実装では、システム又は装置300は、複数のデータストリームを複数のアンテナに伝達するMIMO（Multiple  Input  Multiple  Output）システムのようなマルチキャリアシステムの一部を形成してもよい。このような実施例では、無線通信媒体は、マルチキャリア通信信号を通信する１つ以上のマルチキャリア通信チャネルを有してもよい。例えば、マルチキャリアチャネルは、複数のサブチャネルを有する広帯域チャネルを有してもよい。実施例はこの点に限定されない。
【００１８】
システム又は装置300は、ネットワークの一部を形成してもよい。ネットワークは、様々なOFDM(A)ネットワーク（IEEE802.16e標準に準拠したもの、WiMAX（Worldwide  Interoperability  for  Microwave  Access）ネットワーク、ブロードバンド無線アクセス（BWA：broadband  wireless  access）ネットワーク、無線ローカルエリアネットワーク（WLAN）、無線広域ネットワーク（WWAN）、無線メトロポリタンエリアネットワーク（WMAN）、又は無線パーソナルエリアネットワーク（WPAN）等）のいずれかでもよい。システム又は装置300は、IEEE（Institute  of  Electrical  and  Electronics  Engineers）により公開された標準のような１つ以上の標準に従って情報を通信してもよい。様々な実施例では、例えば、システム又は装置300は、WLAN用のIEEE802.11g（公開日2003年6月）及び／又はWMAN用の802.16標準（例えば、802.16-204、802.16.2-2004及びこれらの変形）を含み、１つ以上のIEEE802標準に従って情報を通信してもよい。
【００１９】
例えば、システム又は装置300は、BWAネットワークのような無線ネットワークを有してもよく、このような無線ネットワークにより実装されてもよい。様々な実装では、無線ネットワークは、１つ以上のIEEE802.16標準に従って動作するように構成されてもよい。様々な実装では、無線ネットワークは、IEEE  802.16e  Standard  for  Local  and  Metropolitan  Area  Networks-Part  16:  Air  Interface  for  Fixed  Broadband  Wireless  Access  Systems-Physical  and  Medium  Access  Control  Layers  for  Combined  Fixed  and  Mobile  Operation  in  Licensed  Bands,  2004を含むものに従って動作する802.16eネットワークを有してもよい。実施例はこの点に限定されない。
【００２０】
本発明の一実施例によれば、システム又は装置300は、チャネル品質インジケータの計算を示す。OFDMデータブロック301は、デマルチプレクサ302への入力としてシステム又は装置300に受信される。このOFDMブロックは、システム又は装置300に結合された実質的に無指向性アンテナにより受信されてもよい。OFDMデータブロックは、複数の多重サブキャリア成分S1  303,S2  304...SN  305を有する。デマルチプレクサ302は、データブロック301をデータブロック301の成分のサブキャリア信号S1  303,S2  304...SN  305に分離する。サブキャリア信号S1  303,S2  304...SN  305は、それぞれ対応する容量計算機306、307...308に送信される。容量計算機306、307...308は、サブキャリア容量値C1  309、C2  310...CN  311の列を出力する。ここで、“列（array）”は、代替として順序集合（ordered  set）として（この場合、サブキャリア周波数の周波数領域のオーダーに基づく順序で）記載されてもよい。サブキャリア容量値C1  309、C2  310...CN  311は、対応するレプリケータ312、313...314を通じて送信される。サブキャリア容量値の列での要素の反復は、送信機側で送信するデータブロックを用意する際に使用された変調方式により決定される。各レプリケータは、対応する入力サブキャリア容量値を表す複数の等化な“ビット”容量値を出力として提供する。様々な実施例では、いずれかの１ビットの容量値は、対応する入力サブキャリア容量値と同じでもよい。各レプリケータ312、313...314により提供される反復されたビット容量値の数は、データブロック301を生成するために使用された変調のオーダーに基づく。
【００２１】
レプリケータ312、313...314の出力は、ビット容量値の順序配列としてデインターリーバ315に入力されてもよい。本発明の実施例では、デインターリーバ315は、データブロック301を形成するために使用されたインターリーブ動作の逆を行ってもよい。結果のデインターリーブされたビット容量値の系列は、移動平均計算機316に入力されてもよい。移動平均計算機316は、サンプリングのために所定のウィンドウサイズを使用して、インターリーブされた系列の移動平均を計算する。ウィンドウサイズの選択は、受信データ信号を生成するために使用された方式及び／又はリンクアダプテーション方法の所望の速度及び精度により制限されてもよい。移動平均は、代替として移動中間値としても知られる。移動平均値の結果の系列は、最小値検出器317に入力されてもよい。最小値検出器317は、出力318として送信される容量値Cmm_wndwの最小移動平均値を決定する。変更実施例では、サブキャリア容量値C1  309、C2  310...CN  311に基づいて出力Cmm_wndw318を決定するために、単一の計算エージェントが使用されてもよい。出力Cmm_wndw318は、例えばMCSセレクタ319によるリンクアダプテーション技術の選択のために使用されてもよい。
【００２２】
図４Ａ〜４Ｅは、一実施例に従って実行された計算結果をグラフィックで示している。この実施例では、BSは、受信移動ユニットに知られたサブキャリアの帯域を使用して、１つ以上のデータブロックを含むデータパケットを送信する。移動ユニットは、チャネル品質インジケータCmm_wndwを計算してチャネル環境を評価するため、及びその環境で次のデータパケットを送信するために適切なMCSを選択するため、受信データブロックの信号特性を使用してもよい。
【００２３】
図４Ａは、移動ユニットにより受信されるデータブロックを送信するために使用されるサブキャリアのサブキャリア容量の列を示している。図400は、周波数領域でオーダーに従って構成され、データブロックを送信するために使用されるサブキャリア容量の領域402を有する。変形実施例では、サブキャリアはローカライズ型（localized）でもよい。この図は、一連の容量値401を有する。ただし、所与の容量値は単位のない数（unitless  number）である。本発明のこの実施例では、所与のサブキャリアの容量Cは、Shannon式に基づいて計算される。
(1)  C=log2(1+SINREff)
ただし、SINREffは、所与のサブキャリアについて瞬時の後処理の信号対干渉＋雑音比である。後処理は、最大比合成又はAlamoutiデコードのような全ての必要な処理が所与のサブキャリアの信号対干渉＋雑音比を改善するために行われた後に、このSINREff値が計算されることを意味する。例示的なサブキャリア容量値403が説明のために示されている。
【００２４】
図４Ｂは、図４Ａのサブキャリア容量の列のビット容量値の列への変換を示している。図404は、ビット容量の領域408と、一連の容量値407を有し、所与のビット容量値は単位のない数である。この変換は、サブキャリア容量の列の各要素を複数の列要素に展開する。ただし、倍数は、送信するデータブロックを用意するために使用されたOFDM変調の変調オーダーにより決定される。簡単な例では、QPSK（Quadrature  Phase-shift  Keying）変調データがサブキャリア容量値[1.23,2.45,0.37,4.28]の列を有する４つのサブキャリアで受信された場合、ビット容量値の結果の列は、[1.23,1.23,2.45,2.45,0.37,0.37,4.28,4.28]になる。この理由は、QPSK変調の変調オーダーは2であるからである。この例では、サブキャリア容量値403は、容量値403を有するサブキャリアに対応するサブキャリア“ビット”406のグループについて、例示的なビット容量値409を含む一式のビット容量値405として繰り返されている。
【００２５】
図４Ｃは、図４Ｂのリンク容量の列のデインターリーブを示している。インターリーブ（デインターリーブ）は、周波数選択性チャネルで更なるブロードバンド通信システムのロバスト性を得るための、データブロックの符号化後（復号化前）のビット混合の一般的な手順である。通常では、インターリーブ（デインターリーブ）は、通信システムを特定する標準に規定されている。IEEE802.16システムでは、使用されるビットデインターリーバは、ブロックデインターリーバである。ブロックデインターリーブでは、まずビットはNcol×Nrowの大きさの配列に読み取られる。IEEE802.16からの例では、Ncol=16且つNow=NCBPB/Ncolであり、NCBPBは、FECブロック毎の符号化ビット数である。ビットは、まず列毎にNcol×Nrowの配列に読み取られ、行毎にNcol×Nrowの配列から読み出される。デインターリーブ処理の選択は、実装特有である。ビット容量の領域411と一連の容量値413を有する図４Ｃのグラフ412は、デインターリーブされたビット容量値の領域411に沿ってその初期位置からデインターリーブされた位置410へのビット容量409の移動を示している。
【００２６】
送信するBSのデータブロックを用意するために使用された方式に基づいて、本発明の様々な実施例は、この用意する方式での動作の逆として動作する１つ以上の更なる処理を含んでもよい。本発明は、これらの更なる処理の追加に関して限定されず、これらの更なる処理は、図４Ａ〜４Ｅに示す例には示されていない。
【００２７】
図４Ｄは、デインターリーブされたビット容量値の移動平均の計算を示している。
【００２８】
図４Ｄの図420は、ビット容量の領域414と一連のビット容量値426とを有し、所与のビット容量値は単位のない数である。移動平均は、サイズLのサンプリング範囲415を設定し、移動平均が他の部分の領域419について計算される他の位置418までの領域413に沿ったサンプリング範囲の移動416としてその部分の領域417のデインターリーブされたビット容量値の平均値を計算する。
【００２９】
本発明の変形実施例では、サンプリングサイズ（代替としてウィンドウサイズとして知られる）は、送信するデータブロックを用意するために使用される畳み込み符号化器の何らかのパラメータに関連するべきである。例えば、一実施例では、畳み込みエンコーダの拘束長は、移動平均を使用する際に使用されるウィンドウサイズを決定する。IEEE802.16システムでは、14に等しいウィンドウサイズ（すなわち、IEEE802.16の畳み込みエンコーダの拘束長の２倍）は、信頼性の高いCmm_wndwをもたらす。
【００３０】
図４Ｅは、図４Ｄのデインターリーブされたビット容量値の移動平均における最小値の決定を示している。図４Ｅの図425は、サブキャリアビットの領域421と、一連の移動平均容量値424とを有する。ただし、所与の移動平均容量値は単位のない数である。チャネル品質インジケータCmm_wndwになる最小値423（422の領域421に沿って位置する）を特定することは簡単である。
【００３１】
特定されると、チャネル品質インジケータCmm_wndwは、OFDM(A)信号の送信のためにMCSを選択するために使用され得る。本発明の変形実施例では、チャネル品質インジケータCmm_wndwは、OFDM(A)チャネルのサブキャリアの動作帯域を決定するため、又はOFDM(A)チャネルの一式のサブキャリアの送信電力レベルを調整するために使用され得る。本発明はこの点に限定されない。
【００３２】
複数の実施例に関して本発明を説明したが、本発明は説明した実施例に限定されず、特許請求の範囲及び要旨内で変更及び置換して実施され得ることが、当業者にわかる。従って、この説明は限定ではなく、例示としてみなされるべきである。
【図１】
2010505331.tif 000003
【図２】
2010505331.tif 000004
【図３】
2010505331.tif 000005
【図４Ａ】
2010505331.tif 000006
【図４Ｂ】
2010505331.tif 000007
【図４Ｃ】
2010505331.tif 000008
【図４Ｄ】
2010505331.tif 000009
【図４Ｅ】
2010505331.tif 000010
【国際調査報告】
2010505331.tif 000011
2010505331.tif 000012
2010505331.tif 000013
2010505331.tif 000014